(57)【要約】【課題】落下した可動障子によって指を挟めるという事態をなくすること。【解決手段】上げ下げ窓の縦枠に沿って昇降動する可動障子３の落下位置Ｐよりも手前の直前位置Ｐ１の下枠上面に、１つ以上の指詰め防止具Ｘを配設し、この指詰め防止具Ｘは、軸受け１１と、この軸受けに回転自在に軸支された長板状或いは長杆状の障害子２１とから成り、障害子は、可動障子が所定量以上上昇した場合に於いて、その上面でもって落下する可動障子の縁部を受け得るように先端部が下向きに傾倒し、一方、可動障子が所定量以上上昇したままの状態で、かつ手前の後端部を押圧操作して前記先端部が上向きに傾倒したとき、可動障子を完全に閉鎖することができる上げ下げ窓用の指詰め防止具。【選択図】図３
2008303633.tif 000002
【特許請求の範囲】
【請求項１】
上げ下げ窓の縦枠に沿って昇降動する可動障子３の落下位置Ｐよりも手前の直前位置Ｐ１の下枠上面に、１つ以上の指詰め防止具Ｘを配設し、この指詰め防止具Ｘは、軸受け１１と、この軸受けに回転自在に軸支された長板状或いは長杆状の障害子２１とから成り、前記障害子は、可動障子が所定量以上上昇した場合に於いて、その上面でもって落下する可動障子の縁部を受け得るように先端部ａが下向きに傾倒し、一方、可動障子が所定量以上上昇したままの状態で、かつ手前の後端部ｂを押圧操作して前記先端部が上向きに傾倒したとき、可動障子を完全に閉鎖することができることを特徴とする上げ下げ窓用の指詰め防止具。
【請求項２】
請求項１に於いて、障害子は、横軸を介してシーソ式に軸支されていることを特徴とする上げ下げ窓用の指詰め防止具。
【請求項３】
請求項１に於いて、複数個の指詰め防止具Ｘが、下枠上面に所定間隔を有して固定的に配設されていることを特徴とする上げ下げ窓用の指詰め防止具。
【請求項４】
請求項３に於いて、左右一組の指詰め防止具Ｘは、後端部に横設されたバー状の操作部３１で一体的に連結されていることを特徴とする上げ下げ窓用の指詰め防止具。
【請求項５】
請求項１に於いて、窓枠の上部に左右一組の巻上げ手段が配設され、可動障子は、これらの巻上げ手段５、５から案内滑車６、６を介して繰り出された左右一対の吊材に吊り下げられていることを特徴とする上げ下げ窓用の指詰め防止具。
【発明の詳細な説明】
【技術分野】
【０００１】
本発明は、上げ下げ窓用の指詰め防止具に関し、特に、落下する障子と窓枠の下枠との間に手や指を挟める事故を回避するための上げ下げ窓用の指詰め防止具に関する。
【背景技術】
【０００２】
この種の技術分野に於いて、落下する障子と窓枠の下枠との間に手や指を挟める事故を回避するために、例えば特許文献１の障子吊り係止具が提案されている。この障子吊り係止具は、上げ下げ窓の安全装置の一例である。この特許文献１は、（ａ）上げ下げ窓（障子と称される）が、吊索（吊り材）を介して上下動する点、（ｂ）障子の縦框に、係止部を有する基体、支軸、揺動ブレーキ片、吊索が係合するボス、揺動ブレーキ片を外方側に向けて付勢するバネ材とから成る障子吊り係止具（障子用ブレーキ装置）が配設されている点に特徴がある。
【０００３】
そして、この障子吊り係止具は、吊索が障子を吊持している状態では、揺動ブレーキ片のボス（突起状押し出し部）が吊索の張力によって横方向力を受けることにより、揺動ブレーキ片は、バネ材による付勢力に抗しながら窓縦枠から離間する位置に保持され、一方、吊索が切断した場合には、揺動ブレーキ片はバネ材による付勢力により外方側に突出して前記窓縦枠と接触する。
【０００４】
この特許文献１に記載の障子吊り係止具（障子用ブレーキ装置）は、揺動ブレーキ片が窓縦枠の内壁面に摩擦係合しながら、障子の落下を防止するというものである。
【０００５】
したがって、特許文献１に記載の障子吊り係止具に於いても、落下する障子と窓枠の下枠との間に手や指を挟める事故を回避するという目的を達成することができる。
【特許文献１】特開２００２−２４２５２７号公報
【発明の開示】
【発明が解決しようとする課題】
【０００６】
本発明の所期の目的は、万一、可動障子が閉鎖位置へと落下しても、落下する可動障子と窓枠の下枠との間に指を挟める事故を未然に回避することである。第２の目的は、必ずしも、複雑なブレーキ装置や係止具を障子の上框や縦框に取付ける必要がなく、或いは可動障子の框を加工・施工することなく、下枠に配設できるシンプル、かつ安価な道具により、本発明の所期の目的を達成することができることである。第３の目的は、取付けが簡単であり、かつ操作も容易であることである。第４の目的は、可動障子が上昇すると、障害子が落下位置（閉鎖位置）Ｐに自動的にセットすることである。
【課題を解決するための手段】
【０００７】
本発明の上げ下げ窓用の指詰め防止具は、上げ下げ窓の縦枠に沿って昇降動する可動障子３の落下位置Ｐよりも手前の直前位置Ｐ１の下枠上面に、少なくとも１つ以上の指詰め防止具Ｘを配設し、この指詰め防止具Ｘは、軸受け１１と、この軸受けに回転自在に軸支された長板状或いは長杆状の障害子２１とから成り、前記障害子は、可動障子が所定量以上上昇した場合に於いて、その上面でもって落下する可動障子の縁部を受け得るように先端部ａが下向きに傾倒し、一方、可動障子が所定量以上上昇したままの状態で、かつ手前の後端部ｂを押圧操作して前記先端部が上向きに傾倒したときに、可動障子を完全に閉鎖することができることを特徴とする。
【発明の効果】
【０００８】
（ａ）図６の（ａ）〜（ｃ）は、本発明の作用・効果を示す。図6の（ｃ）から明らかなように、落下した可動障子によって指を挟めるという事態をなくすることができる。
（ｂ）図４で示すように、構造がシンプルである、部品点数が少ない、取付けが簡単である等の理由から、既存の建具の可動障子の下框を加工することなく、可動障子の落下位置Ｐよりも手前の直前位置Ｐ１の下枠上面に容易に配設することができる。
（ｃ）可動障子を閉鎖する場合、図７で示すように、操作が非常に簡単である。
（ｄ）可障害子がシーソ式の軸支されている場合には、可動障子を持ち上げるだけで、自動的に待機待ちの状態となる。付言すると、障害子は、落下位置（閉鎖位置）Ｐに自動的にセットされるので、手間を要しない。
【発明を実施するための最良の形態】
【０００９】
以下、図１乃至図７に示す本発明を実施するための最良の形態（本実施例）により説明する。
【００１０】
（１）発明の実施の環境
図１は発明の実施の環境を示す概略説明図である。本実施例の上げ下げ窓用の指詰め防止具Ｘは、下枠上面に所定間隔を有して固定的に配設されている。隣接する左右の指詰め防止具Ｘは左右同一なので、図４では一つの構成だけ具体的に示す。
【００１１】
なお、本発明は、可動障子が窓枠の上部に配設した左右一組の巻上げ手段より昇降動する実施例に限定されるものではない。可動障子が左右一対のロック手段を介して所定位置に停止する実施例も含まれる。要は、落下可能な上げ下げ窓（可動障子）の落下面を基準として、下枠上面の適宜箇所に固定的（下枠から抜けないように）配設される。
【００１２】
さて、図１に於いて、１は上げ下げ窓（可動障子を含む建具のこと）である。上げ下げ窓１は、方形枠状に構成された窓枠２の内部空間に窓を構成する縦枠２Ａ、２Ｂに沿って昇降自在とされる内側の可動障子３並びに固定式外側障子４とを備えている。
【００１３】
また、縦枠２Ａ、２Ｂの上部に左右一組の巻上げ手段、例えば渦巻きバネ式バランサー装置５、５が配設され、これらの巻上げ手段５、５から、例えば上枠の吊り下げ落下ポイントにそれぞれ配設された案内滑車６、６を介して繰り出された左右一対の吊材（例えばワイヤ、ロープなど）７，７の下端部７ａ、７ａが、可動障子３に連結されている。
【００１４】
なお、２Ｃは窓枠の下方横枠（下枠）で、図１では、この下枠２Ｃの上面と可動障子３の下端部（下框）３ａとの間に間隙８が残っている状態を示す（可動障子３が多少上方に上がっている状態）。
【００１５】
また、前記渦巻きバネ式バランサー装置５は、内設された渦巻きバネにより内側障子３の重量と力学的に平衡関係を保ち、該内側障子３を小さな力で簡単に開閉できるようにすると共に、任意の高さ位置に停止可能とする。さらに、外側障子４についても同様に、上枠に配設した図示しないダブルバランサーを用いて上下方向に開閉自在の可動障子として吊持できる。
【００１６】
（２）指詰め防止具Ｘ
指詰め防止具Ｘは、窓枠２の下枠２Ｃの上面の中央部や中央部寄りの部位に一つだけ配設しても良いが、本実施例では、指詰め防止具Ｘの損傷防止、可動障子の傾き防止等の観点から複数個、例えば２個、所要間隔を有して配設されている。指詰め防止具Ｘを２個配設する場合は、後述する障害子２１の手前側の後端部ｂを片手の指で一緒に操作することができるように隣接状態に配設する。
【００１７】
図１は、前述したように、合計２個の詰め防止具Ｘを、下枠上面の左側に隣接状態に配設した一例である。もちろん、下枠上面の中央部や右側にも配設することができる。
【００１８】
さて、本実施例の指詰め防止具Ｘは、上げ下げ窓１の縦枠２Ａ、２Ｂに沿って昇降動する可動障子３の落下面（ここでは落下位置「Ｐ」）よりも手前の位置（ここでは設置上における直前位置「Ｐ１」）の下枠２Ｃの上面に複数個の固定手段１０を介して固定されている。
【００１９】
なお、図４に於いて、落下位置「Ｐ」と設置上における直前位置「Ｐ１」は、説明の便宜上観念的に表示したものである。
【００２０】
図４で示すように、指詰め防止具Ｘは、軸受け１１と、この軸受け１１に回転自在に軸支された長板状或いは長杆状の障害子２１とから成る。
【００２１】
しかして、前記軸受け１１は、図５で示すように断面凹所形状に形成されている。付言すると、軸受け１１は、取付けベース部１１ａと、この取付けベース部の両端部から山形状に突出する左右一対の支え部１１ｂとから成る。
【００２２】
そして、取付けベース部１１ａには、固着具１０用の貫通孔１２が形成され、一方、左右の支え部１１ｂには、横軸１４を支える軸孔１３がそれぞれ形成されている。
【００２３】
なお、軸受け１１は単体軸受けにすることも可能であるが、部品点数の削減、取付け容易性等の本発明の目的を考慮すると、実施例のように左右一対の支え部１１ｂを一体化することが望ましい。
【００２４】
また、前記障害子２１は、本実施例では、可動障子３の下端部３ａの手前側の下縁部を幅広く受け止めることができるようにやや幅広、かつ肉厚の長板を用いている。
【００２５】
しかして、障害子２１は、長板状の受け止め部分２２と、この受け止め部分２２の下面の後端部寄りの部位に膨出状に突出形成された軸嵌合部２３とから成り、前記軸嵌合部２３の不番軸孔には横軸１４が貫通する。
【００２６】
ここで、説明の便宜上、障害子２１の受け止め部分２２に符号を付すと、２２ａは障害子２１の上面、２２ｂは障害子２１の下面、ａは障害子２１の先端部ｂは障害子２１の後端部である。
【００２７】
（３）主な作用
図６を参照にして、本発明の主な作用を説明する。図６の（ａ）は、可動障子３の下端部（下框）３ａが下枠２Ｃの落下位置「Ｐ」に存在する場合を示す。この場合、可動障子３の下端部３ａは下枠２Ｃの上面に接触している。
【００２８】
一方、設置上の直前位置「Ｐ１」に存在する指詰め防止具Ｘの障害子２１は、その上端部ａが上向き状態であり、かつ可動障子３の下端部３ａの内壁面に寄りかかっている。何故ならば、本実施例では、支点の位置が障害子２１の後端部ｂ寄りにずれているからである。
【００２９】
次に、図６の（ｂ）は、可動障子３が巻上げ手段５の駆動力により矢印Ａ方向へと上昇した場合を示す。可動障子３が巻上げ手段５の駆動力により、障害子２１の上端部ａから離れる所定量以上上昇した場合には、障害子２１は自重により横軸１４を支点にして、矢印Ｂ（時計）方向にシーソ式に所定量回転する（図３参照）。その結果、障害子２１は、その上面２２ａで落下する可動障子３の下端部３ａの縁部を受け得るように先端部ａが下向きに傾倒する。
【００３０】
図６の（ｃ）は、非常時、可動障子３が落下した場合である。この場合、指詰め防止具Ｘは、障害子２１の上面２２ａでもって、落下する可動障子３の下端部３ａを所定位置で受け止める。なお、図６の（ｃ）に於いて、可動障子３は完全に閉鎖しない（指を挟めない）位置で停止する。
【００３１】
上記に於いて、可動障子３を完全閉鎖の落下位置「Ｐ」まで下げる場合には、手でもって、一旦可動障子３を所定量以上持ち上げ、かつ障害子２１の手前の後端部ｂを手で押圧操作する。そうすると、障害子２１は横軸１４を支点に反時計方向に回転し、その先端部ａが上向きに傾倒するので、可動障子３を落下位置「Ｐ」まで下げることができる。
【実施例】
【００３２】
本実施例に於いて、障害子２１の下面２２ｂに膨出状の軸嵌合部２３を突出形成したが、これは任意事項である。特に図示しないが、例えば単なる長板状の障害子２１に横軸用の軸孔を形成しても良い。
【００３３】
また、本実施例に於いて、横軸１４を障害子２１の後端部ｂ寄りの部位に挿通したが、横軸１４の位置も、実施例によっては任意的と成り得る。例えば横軸１４を障害子２１の中央部に挿通し、かつ障害子２１の先端部に錘を一体的に取付けた場合である。また、さらに、図８で示すように、障害子２１Ａの先端部ａが後端部ｂよりも重くなるように肉厚にした場合（設計変更例）である。さらに、横軸や適宜箇所にバネ部材を設け、障害子２１の先端部ａが落下位置「Ｐ」に変位するように付勢させることもできる。
【００３４】
次に、図９は本発明の第２実施例の指詰め防止具Ｘ１である。この指詰め防止具Ｘ１は、操作性の向上を図るために、本実施例の指詰め防止具Ｘを、所定間隔を有して左右に一組配設し、これらの障害子２１、２１の各後端部をバー状の操作部３１で一体的に連結して点に特徴がある。
【００３５】
このように構成すると、指１本でもって、指詰め防止具Ｘ１の左右の障害子２１、２１を回転させることができる。
【産業上の利用可能性】
【００３６】
本発明は、主に錠前や建具の業界で利用される。
【図面の簡単な説明】
【００３７】
図１乃至図７は本発明の最良の実施例を示す各説明図。
【図１】本発明の使用環境を示す説明図。
【図２】図１の左下側の部分を拡大した概略説明図。
【図３】可動障子が所要量以上上昇した場合に於いて、障害子の傾倒状態を示す概略説明図。
【図４】本発明の設置上の位置付け及び主要部を示す概略説明図。
【図５】図４の５−５線断面説明図。
【図６】図６の（ａ）は可動障子が閉鎖或いは落下位置「Ｐ」に存在、図６の（ｂ）は、可動障子３がＡ方向に所要量以上上昇、図６の（ｃ）は、非常時、可動障子３が落下した場合である。
【図７】可動障子３を完全閉鎖位置へと押し下げる場合の概略説明図。
【図８】障害子の設計変更例を示す説明図。
【図９】本発明の第２実施例を示す図７と同様の概略説明図。
【符号の説明】
【００３８】
Ｘ、Ｘ１…指詰め防止具、１…上げ下げ窓、２…窓枠、２Ａ、２Ｂ…縦枠、２Ｃ…下枠、３…可動障子、３ａ…下端部（下框）、４…外側障子、５…巻上げ手段、７…吊材、７ａ…吊材の下端部、８…間隙、Ｐ…落下した位置、Ｐ１…設置上の直前位置、１０…固着具、１１…軸受け、１１ａ…取付けベース部、１１ｂ…支え部、１３…軸孔、１４…横軸、２１…障害子、２２…受け止め部分、２２ａ…障害子の上面、ａ…障害子の先端部、ｂ…障害子の後端部、２３…軸嵌合部。
【図１】
2008303633.tif 000003
【図２】
2008303633.tif 000004
【図３】
2008303633.tif 000005
【図４】
2008303633.tif 000006
【図５】
2008303633.tif 000007
【図６】
2008303633.tif 000008
【図７】
2008303633.tif 000009
【図８】
2008303633.tif 000010
【図９】
2008303633.tif 000011